(57)【要約】【課題】本発明は、ドレン水を室外熱交換器のみへ飛散させるようにして、ドレン水の蒸発処理の効率向上化を得るとともに、室外熱交換器の熱交換効率の向上化を図れる空気調和機を提供する。【解決手段】空気調和機本体１内部を室内ユニット部２と室外ユニット部３に区画形成し、室内ユニット部に室内熱交換器４および室内送風機５を配置し、室外ユニット部に室外熱交換器１３と室外送風機１２および圧縮機１０を配置し、室内ユニット部から室外ユニット部に亘って室内熱交換器で生成されるドレン水を室外熱交換器下部に導くドレンパン７を設け、室外熱交換器下部に導かれたドレン水を掻き上げて室外熱交換器に降り掛け室外熱交換器で蒸散させる掻き上げ部材１４を具備し、室外熱交換器は掻き上げ部材の前後左右周囲を囲うように形成される。【選択図】    図４
2005003217.tif 000002
【特許請求の範囲】
【請求項１】
内部に区画形成された室内ユニット部と室外ユニット部を有する空気調和機本体と、
この空気調和機本体内部の室内ユニット部に配置される室内熱交換器および室内送風機と、
上記空気調和機本体内部の室外ユニット部に配置される室外熱交換器と室外送風機および圧縮機と、
上記室内ユニット部から室外ユニット部に亘って設けられ、上記室内熱交換器で生成されるドレン水を上記室外熱交換器下部に導くドレン水案内手段と、
このドレン水案内手段により上記室外熱交換器下部に導かれたドレン水を掻き上げて室外熱交換器に降り掛け、室外熱交換器で蒸散させる掻き上げ手段とを具備し、
上記室外熱交換器は、上記掻き上げ手段の前後左右の全周囲を囲うように形成されることを特徴とする空気調和機。
【請求項２】
上記室外熱交換器は、平面視で略Ｌ字状に形成される第１の熱交換器部および第２の熱交換器部とからなり、
これら第１の熱交換器部と第２の熱交換器部の端部相互を連結して平面視で略ロ字状の室外熱交換器となし、
この略中心部に上記掻き上げ手段を配置したことを特徴とする請求項１記載の空気調和機。
【請求項３】
上記室外熱交換器を構成する第１の熱交換器部と第２の熱交換器部との連結部に沿って隙間を閉塞する連結板が設けられることを特徴とする請求項２記載の空気調和機。
【発明の詳細な説明】
【０００１】
【発明の属する技術分野】
本発明は、室内熱交換器と室外熱交換器とを本体内に収容する、いわゆる一体形の空気調和機において、冷房運転時に生成されるドレン水の処理構造の改良に関する。
【０００２】
【従来の技術】
たとえば、エレベータ装置を構成するゴンドラ（以下、単にエレベータと言う）天井部に、エレベータ内部を冷房し、もしくは暖房する空気調和機が載設される。この空気調和機は、冷凍サイクルを利用し、本体内に室内熱交換器と室外熱交換器を備えた、いわゆる一体形のものが用いられる。
【０００３】
冷房運転時には、室内熱交換器で熱交換される空気の露点が低下して水分が凝縮し、ドレン水となって滴下する。この室内熱交換器の下部にはドレンパンが配置され、全てのドレン水が集溜される。
【０００４】
この種の空気調和機では、ドレンパンで受けたドレン水を室外熱交換器側に導びき、この室外熱交換器に対向して配置される掻き上げ手段である、たとえばスリンガリングによって掻き上げられる。室外熱交換器にドレン水を散布することで、室外熱交換器の熱交換効率の向上化を得るとともに、ドレン水の円滑な蒸発処理がなされる。
【０００５】
［特許文献１］には、上述の基本構成に加えて、上記掻き上げ手段を複数備えたうえに、掻き上げたドレン水に外気吸込み口から吸込まれる外気を混合させる技術が開示されていて、風切り音の騒音低減を得るとともに、ドレン水蒸散効率向上化と、室外熱交換器の熱交換性能の向上を得るようにしている。
【０００６】
【特許文献１】
特開２００１−３２４１７１号公報
【０００７】
【発明が解決しようとする課題】
ところで、上記室外熱交換器は平面視で直状もしくは［特許文献１］に記載のようにＬ字状に形成されていて、この室外熱交換器に離間対向して上記スリンガリングが配置され、ドレン水を掻き上げる。掻き上げられたドレン水は霧状になって室外熱交換器に吹付けられ、室外熱交換器に付着する。
【０００８】
しかしながら実際には、上記スリンガリングは回転駆動される羽根体に取付けられるものであるから、スリンガリングの回転にともなって、ドレン水はスリンガリングから斜め周方向に放射状に飛散される。そのため、スリンガリングが掻き上げたドレン水が全て室外熱交換器に吹付けられるとは限らず、一部は室外熱交換器に付着せずに外部に飛散し易い。
【０００９】
上記空気調和機本体は板金加工により製作される板体を単純に組合せてなる筐体であり、水密構造にはなっていない。そのため、室外熱交換器に付着せずに飛散したドレン水滴が本体壁面に付着して流下し、ついには本体外部へ漏れ出る虞れがある。筐体を完全水密構造にすればこのような事故の発生を防止できるが、コストに悪影響を及ぼしてしまう。
【００１０】
本発明は、上述の事情を考慮してなされたものであり、その目的とするところは、本体内に室内熱交換器と室外熱交換器とを配置した一体形であり、室内熱交換器で生成されるドレン水を室外熱交換器へ飛散させて蒸発処理することを前提として、比較的簡素な構成でありながら、ドレン水を確実に室外熱交換器のみへ飛散させ、ドレン水の蒸発処理の効率向上化を得るとともに、室外熱交換器の熱交換効率の向上化を図れる空気調和機を提供しようとするものである。
【００１１】
【課題を解決するための手段】
本発明の空気調和機は上述の目的を満足するためになされたものであり、空気調和機本体内部を室内ユニット部と室外ユニット部に区画形成し、室内ユニット部に室内熱交換器および室内送風機を配置し、室外ユニット部に室外熱交換器と室外送風機および圧縮機を配置し、室内ユニット部から室外ユニット部に亘って室内熱交換器で生成されるドレン水を室外熱交換器下部に導くドレン水案内手段を設け、このドレン水案内手段により室外熱交換器下部に導かれたドレン水を掻き上げて室外熱交換器に降り掛け室外熱交換器で蒸散させる掻き上げ手段を具備し、室外熱交換器は掻き上げ手段の前後左右周囲を囲うように形成される。
【００１２】
このような構成を採用することにより、室内熱交換器で生成されるドレン水を確実に室外熱交換器のみへ飛散させて、ほとんど完全な蒸発処理ができるようになり、室外熱交換器の熱交換効率が向上する。
【００１３】
【発明の実施の形態】
以下、本発明の実施態様を、図面にもとづいて詳細に説明する。
図１は、エレベータ装置を構成するゴンドラ（以下、単にエレベータと言う）Ａと、このエレベータの天井部ａに載設される空気調和機Ｓの斜視図である。
【００１４】
上記エレベータＡは、図の手前側である前面に開閉扉ｂが設けられ、内部に乗員が出入りできる。上記空気調和機Ｓとは別の天井部位にワイヤｃが接続され、エレベータＡはワイヤｃによって吊持される。
【００１５】
この上方部には巻き上げ機が配置され、一端にエレベータＡを吊持するワイヤａが巻き付けられる。また、ワイヤａの他端にはガイドレールに沿って移動するウエイトが取付けられ、エレベータＡとバランスをとって昇降駆動される。（以上、図示しない）
上記空気調和機Ｓは、図２ないし図４に示すように構成される。図２は空気調和機本体の上面板を取外して内部を示す斜視図、図３は空気調和機本体の側面板一部を取外して内部を示す斜視図、図４は空気調和機本体の上面板を取外して内部を示す平面図である。
【００１６】
空気調和機本体１は、正面視と側面視および平面視ともに矩形状の筐体からなっている。この本体１内の長手方向の略中央部から、図の左側は上面が一部を除いて閉塞され、図の右側は上面が開放されている。上面が閉塞された部位を室内ユニット部２と呼び、開放された部位を室外ユニット部３と呼ぶ。互いのユニット部２，３は本体１内において区画形成されている。
【００１７】
はじめに、上記室内ユニット部２から詳述する。
本体１の底面板に室内吸込み口が設けられ、側面板に室内吹出し口（何れも図示しない）が設けられる。これら室内吸込み口と室内吹出し口と対向するエレベータＡの天井部ａには同一形状の開口部が設けられ、室内ユニット部２とエレベータＡ内部とは直接、もしくはダクトを介して互いに連通状態にある。
【００１８】
また、室内吸込み口と室内吹出し口との間に位置して室内熱交換器４が配置される。この室内熱交換器４は、両側の端板間に多数枚のフィンを互いに所定の間隙を存して並置し、これら端板とフィンに熱交換パイプを貫通させた、いわゆるフィンチューブタイプである。
【００１９】
室内ユニット部２において、上記室内熱交換器４の上面のみ開放され露出しているが、本体上面板を取付けた状態で、この上面板が室内熱交換器４の上面部にほとんど密着して隙間が存在しないようになっている。
【００２０】
上記室内熱交換器４と対向してファン５ａが設けられ、かつこのファン５ａを回転駆動するファンモータ５ｂとからなる室内送風機５が配置されている。上記ファン５ａは、いわゆるシロッコファンと呼ばれていて、回転駆動することにより回転軸方向から空気を吸込んで周方向から吹出す。上記シロッコファン５ａの吹出し側にはダクト６が取付けられていて、このダクト６の端部は上記室内吹出し口まで延出され、かつ接続される。
【００２１】
このような室内ユニット部２の底面部は、上記室内熱交換器４で生成されるドレン水を受けるドレンパン（ドレン水案内手段）７として形成されている。そして、このドレンパン７は室内ユニット部２ばかりでなく、室内ユニット部２から室外ユニット部３に亘る本体１の底面板全体が該当する。
【００２２】
つぎに室外ユニット部３について説明する。
空気調和機本体１の両側面板１ｂにそれぞれ外気吸込み口８が設けられる。本体１の背面板１ｃにはファンガードで覆われる吹出し口９が設けられる。図１に示すエレベータＡを基準にしてみると、開閉扉ｂが設けられる面と空気調和機本体１の同一面に背面板１ｃがあって、ここに吹出し口９が開口する。なお、エレベータＡに対する本体の配置方向は図１に限定されるものではなく、エレベータの設計事情に応じて適宜変更可能である。
【００２３】
室外ユニット部３の隅部に圧縮機１０が配置され、この周囲は補助仕切り板１１によって囲まれる。上記補助仕切り板１１を備えることによって、圧縮機１０から室内吸込み口と室内熱交換器４とに対する熱的影響がより確実に阻止され、かつ騒音の漏れが防止される。
【００２４】
上記吹出し口９と対向する位置に室外送風機１２が配置される。この室外送風機１２は、ファンモータ１２ｍと、このファンモータの回転軸に嵌着される、いわゆるプロペラ型のファン１２ｆからなる。上記吹出し口９に室外送風機１２を構成するプロペラファン１２ｆが直接対向していて、室外送風機１２を駆動すると、各側面板１ｂに設けられる外気吸込み口８から室外ユニット部３に外気を吸込み、室外送風機１２を介して背面板１ｃの吹出し口９から外部へ吹出す通風路が形成されるようになっている。
【００２５】
外気吸込み口８から室外送風機１２に至る送風路の中途部には室外熱交換器１３が配置される。この室外熱交換器１３は、上記室内熱交換器４と同様、両側の端板間に多数枚のフィンを互いに所定の間隙を存して並置し、これら端板とフィンに熱交換パイプを貫通させた、いわゆるフィンドチューブタイプの熱交換器である。
【００２６】
上記室外熱交換器１３は、平面視で略Ｌ字状に形成される第１の熱交換器部１３Ａと第２の熱交換器部１３Ｂとの組み合わせからなっている。互いの熱交換器部１３Ａ，１３Ｂは、互いの端部が近接した状態で配置され、室外熱交換器１３は平面視で略ロ字状に形成される。
【００２７】
第１の熱交換器部１３Ａと第２の熱交換器部１３Ｂの曲成部は互いに同一の曲率で曲成されるが、直状部は第１の熱交換器部１３Ａの方が第２の熱交換器部１３Ｂよりもある程度長尺に形成される。そして、第２の熱交換器部１３Ｂの両側の端板ｄは、直状部の直状方向に沿って突出していて、組立てられた状態で上記端板ｄ突出部が第１の熱交換器部１３Ａの側面に当接している。
【００２８】
このことにより、第１の熱交換器部１３Ａと第２の熱交換器部１３Ｂとの連結部における隙間が上記端板ｄによって塞がれていて、室外熱交換器１３として全周に亘って一体化され、フィン相互の隙間以外に空気が流通する部分がない。
【００２９】
特に図示していないが、上記本体１底面板に形成される上記ドレンパン７は上記室外熱交換器１３の配置部分のみ一段と低くなっていて、ドレン水が多く溜り易くなっている。
【００３０】
そして、上記室外熱交換器１３の略中心位置に、掻き上げ部材（掻き上げ手段）１４が配置される。上記掻き上げ部材１４は、上記室外送風機１２のファンモータ１２ｆよりも小型のモータ１５と、このモータの回転軸に嵌着され周縁に図示しない掻き上げ板を備えたドレンスプラッシャー１６とからなる。
【００３１】
少なくとも、上記ドレンスプラッシャー１６の一部がドレンパン７に集溜するドレン水に浸漬するように設計されている。また、ドレンスプラッシャー１６を回転駆動するモーター１５は、ドレン水が降りかかっても電気事故の発生のない、完全防水構造が採用されている。
【００３２】
上記掻き上げ部材１４は室外熱交換器１３とともに室外送風機１２の吸込み側に位置し、かつ掻き上げ部材１４のモータ１５の軸方向は上記室外送風機１２の軸方向と平行になるように配置される。掻き上げ部材１４のドレンスプラッシャー１６は室外送風機１２のプロペラファン１２ｆと同様に、吹出し口９側になるよう位置が同一に揃えられる。
【００３３】
このようにして構成される空気調和機であり、冷房運転を指示することにより、室内送風機７が駆動されてエレベータＡ内の空気が室内吸込み口から本体１内に区画形成される室内ユニット部２に吸込まれる。そして、室内熱交換器４に導かれて熱交換をなし、冷気に変わって室内吹出し口から吹出される。エレベータＡ内に冷気が供給されて、エレベータ内の冷房をなす。
【００３４】
暖房運転を指示することにより、室内送風機５が駆動されてエレベータＡ内の空気が室内吸込み口から室内ユニット部２に吸込まれる。そして、室内熱交換器４に導かれて熱交換をなし、暖気に変わって室内吹出し口から吹出される。エレベータＡ内に暖気が供給されて、エレベータ内の暖房をなす。
【００３５】
冷暖房いずれの運転においても、室外ユニット部３においては室外送風機１２が駆動され、両側面板１ｂに設けられる外気吸込み口８から外気が室外ユニット部３に吸込まれ、室外熱交換器１３に導かれて熱交換をなし、背面板１ｃに設けられる吹出し口９から外部へ吹出される。
【００３６】
上記掻き上げ部材１４は、冷房運転時に作用する。すなわち、室内熱交換器４と熱交換した空気に含まれる水分が凝縮してドレン水に変り、ドレンパン７に流下し集溜する。このドレン水は室内ユニット部２から室外ユニット部３へ流れて、室外熱交換器１３および掻き上げ部材１４のドレンスプラッシャー１６周縁一部を浸漬する。
【００３７】
ドレンスプラッシャー１６は回転駆動され、ドレン水を掻き上げて水滴もしくは霧状に変え放射状に飛散させる。その一方で、室外送風機１２が駆動されて外気吸込み口８から室外熱交換器１３へ外気を導くので、水滴もしくは霧状のドレン水が外気に混合して室外熱交換器１３に降りかかる。
【００３８】
このとき、室外熱交換器１３は冷媒を凝縮して凝縮熱を放出しており、降りかかったドレン水は凝縮熱を吸収して蒸発する。したがって、ドレン水は早急に蒸発処理され、かつ室外熱交換器１３の熱交換効率が向上する。
【００３９】
しかも、室外熱交換器１３は掻き上げ部材１４の全周囲を囲むよう平面視で略ロ字状に形成されているので、ドレンスプラッシャー１６が掻き上げた全てのドレン水は前後左右を囲む第１、第２の熱交換器部１３Ａ，１３Ｂのいずれかに降り掛けられて付着し蒸発する。掻き上げられたドレン水が室外熱交換器１３外部に漏れ出るようなことがなく、ドレン水の蒸発処理をより確実に行える。
【００４０】
なお、上記室外熱交換器１３は、平面視で略Ｌ字状の第１の熱交換器部１３Ａと第２の熱交換器部１３Ｂを組合せて略ロ字状としたから、この室外熱交換器１３と同等能力であっても平板状構造とした室外熱交換器と比較して、省スペース化を図ることができコストの低減に寄与する。
【００４１】
なお、室外熱交換器１３を構成する第１の熱交換器部１３Ａと第２の熱交換器部１３Ｂとの組み合わせ部は、第２の熱交換器部１３Ｂを構成する端板ｄの片部を長く形成して第１の熱交換器部１３Ａの側面に当接させている。
【００４２】
このことにより、第２の熱交換器部１３Ｂの端板ｄ片部が第１の熱交換器部１３Ａと第２の熱交換器部１３Ｂとの連結部における隙間を塞ぐことになり、熱交換空気およびドレン水の漏れがなり、室外熱交換器１３の熱交換効率の向上と、ドレン水の蒸散効率の向上を得られる。
【００４３】
また、上記室外熱交換器１３を構成するフィンは、そのピッチを１．５ｍｍ以下に設定するとよい。ドレンスプラッシャー１６がドレン水を掻き上げて、ある程度の圧力をもって室外熱交換器１３に飛散させているが、上記隙間の設定によりドレン水が室内熱交換器１３を構成するフィン相互間を通過してしまい外部に漏れることを防止できる。
【００４４】
また、上記室外熱交換器１３を平面視で略ロ字状に形成したので、本体上面板を取外した状態で室外熱交換器１３上面が開放状態になっているが、室外熱交換器１３上端に板体を載設して上面を閉塞するようにしてもよい。
【００４５】
すなわち、本体１の上面板を取付ければ室外熱交換器１３の上面が閉成されるが、それぞれの部品の製作加工と組立て精度の点から、実際には室外熱交換器１３上端と上面板とである程度の隙間が形成されることはやむを得ない。したがって、ドレンスプラッシャー１６が掻き上げたドレン水の極く一部が上記隙間を介して直接室外熱交換器１３外部に飛散することは考えられる。
【００４６】
このような事態を未然に防止するための処置として、室外熱交換器１３上端に板体を載設し室外熱交換器の上面を閉塞すれば、上記板体がドレン水の飛散防止板として機能し、ドレン水が室外熱交換器１３外部へ飛散する余地がなくなり、より効率の良い処理がなされる。
【００４７】
また、上記圧縮機１０に接続される冷媒吐出側の冷媒管Ｐを室外熱交換器１３の風下側に配置すると、上記冷媒管Ｐに対する冷却効率が良くなる。すなわち、室内送風機５の作動により、特に風下側の室外熱交換器１３に多量のドレン水がかかり、熱交換効率が良くなるうえに、この風下側に圧縮機１０吐出部に接続される冷媒管Ｐが位置するので、冷媒管Ｐに対する冷却が効率よく行われる。
【００４８】
また、特に図示していないが、掻き上げ部材１４を構成するドレンスプラッシャー１６の回転軸が、室外熱交換器１３を構成するフィンに対して傾いて設置されている。このことにより、ドレンスプラッシャー１６が掻き上げたドレン水の飛散方向とフィンの面方向とがずれてドレン水が必ずフィンに衝突し、フィン相互間の隙間をすり抜けて外部へ漏れることを防止できる。
【００４９】
また、特に図示していないが、ドレンパン７に集溜されるドレン水の水位を測るフロートスイッチが設けられる。このフロートスイッチはドレン水が所定水位を越えた状態を検知すると、その検知信号を制御部へ送る。制御部はドレンポンプへ駆動信号を送って作動させ、ドレン水を外部へ流す。
【００５０】
ここでは、上記フロートスイッチを略ロ字状に形成される室外熱交換器１３の外部に配置する。すなわち、ドレンスプラッシャー１６の作動にともなってドレン水の水面が波打つが、フロートスイッチを室外熱交換器１３の外部に設置することにより、波による水位変動を受け難くなって正確な水位を計測できる。
【００５１】
なお、上述の空気調和機ＳをエレベータＡ内の空調用として備えたが、これに限定されるものではなく、被空調室の窓部に取付けられるいわゆるウインド型空気調和機として通常の室内空調用としてもよい。
【００５２】
【発明の効果】
以上説明したように本発明によれば、一体形でドレン水を室外熱交換器へ飛散させて蒸発処理する空気調和機であり、熱交換効率の向上と、ドレン水蒸発処理の効率向上化を得るなどの効果を奏する。
【図面の簡単な説明】
【図１】本発明の実施形態を示す、エレベータに取付けられた空気調和機の斜視図。
【図２】同実施形態を示す、空気調和機の内部の斜視図。
【図３】同実施形態を示す、空気調和機のさらに内部の斜視図。
【図４】同実施形態を示す、空気調和機の平面図。
【符号の説明】
２…室内ユニット部、３…室外ユニット部、１…空気調和機本体、４…室内熱交換器、５…室内送風機、１３…室外熱交換器、１２…室外送風機、７…ドレンパン（ドレン水案内手段）、１４…掻き上げ部材（掻き上げ手段）、１３Ａ…第１の熱交換器部、１３Ｂ…第２の熱交換器部、ｄ…端板（連結板）。
【図１】
2005003217.tif 000003
【図２】
2005003217.tif 000004
【図３】
2005003217.tif 000005
【図４】
2005003217.tif 000006